(57)【要約】  電子部品は、ベース１０と、前記ベース１０の一方側に設けられた電子素子２０と、電子素子２０の一方側に設けられた接続体３０と、前記接続体３０の一方側に設けられた放熱ブロック４０と、前記接続体３０と前記放熱ブロック４０との間に設けられた絶縁部５０と、前記電子素子２０、前記接続体３０及び前記絶縁部５０を封止する封止部９０と、を有する。前記ベース１０の他方側の面の少なくとも一部は前記封止部９０から露出する。前記放熱ブロック４０の一方側の面の少なくとも一部は前記封止部９０から露出する。
2019082333.tif 000002
【特許請求の範囲】
【請求項１】
ベースと、
前記ベースの一方側に設けられた電子素子と、
電子素子の一方側に設けられた接続体と、
前記接続体の一方側に設けられた放熱ブロックと、
前記接続体と前記放熱ブロックとの間に設けられた絶縁部と、
前記電子素子、前記接続体及び前記絶縁部を封止する封止部と、
を備え、
前記ベースの他方側の面の少なくとも一部は前記封止部から露出し、
前記放熱ブロックの一方側の面の少なくとも一部は前記封止部から露出することを特徴とする電子部品。
【請求項２】
前記接続体の先端部は屈曲部を介して他方側に曲げられ、
前記先端部の一方側に前記絶縁部が設けられることを特徴とする請求項１に記載の電子部品。
【請求項３】
前記接続体の先端部は凹部を有し、
前記凹部内に前記絶縁部が設けられることを特徴とする請求項１に記載の電子部品。
【請求項４】
前記放熱ブロックは、放熱ブロック本体部と、前記放熱ブロック本体部から他方側に延びた延在部とを有し、
前記延在部は前記接続体の先端部の一方側に設けられ、
前記放熱ブロック本体部の一方側の面は前記封止部から露出することを特徴とする請求項１に記載の電子部品。
【請求項５】
前記接続体の先端部は凹部を有し、
前記凹部内に前記絶縁部及び前記延在部が設けられることを特徴とする請求項４に記載の電子部品。
【請求項６】
前記絶縁部は放熱絶縁シート又は放熱絶縁材料であることを特徴とする請求項１に記載の電子部品。
【請求項７】
前記絶縁部は放熱絶縁性を有する弾性部材であることを特徴とする請求項１に記載の電子部品。
【請求項８】
前記絶縁部は、前記接続体の先端部の厚みの１／５〜１／１の厚みを有することを特徴とする請求項７に記載の電子部品。
【請求項９】
前記接続体の基端部は、前記封止部から外方に露出する端子の一方側の面に導電性接着剤を介して当接することを特徴とする請求項１に記載の電子部品。
【請求項１０】
前記封止部の一方側から前記放熱ブロックだけが露出していることを特徴とする請求項１に記載の電子部品。
【請求項１１】
前記ベース、前記放熱ブロック及び前記接続体は同じ材料からなることを特徴とする請求項１に記載の電子部品。
【請求項１２】
前記放熱ブロックの他方側の面は荒らし面を有することを特徴とする請求項１に記載の電子部品。
【発明の詳細な説明】
【技術分野】
【０００１】
本発明は、封止部内に設けられたベース及び電子素子を有する電子部品に関する。
【背景技術】
【０００２】
従来から、電子装置、電子モジュール等の電子部品において、放熱効率を上げるために金属基板等の裏面を露出させ、絶縁シート等の絶縁部を介してヒートシンク等に載置することが行われている。両面から放熱する電子部品も知られており、例えば特開２０１６−１００４７９号公報では、半導体チップと、半導体チップを封止する封止樹脂体と、半導体チップの第１主面側に配置され、第１主電極と電気的に接続される第１導体板（第１ヒートシンク）と、半導体チップの第２主面側に配置され、第２主電極と電気的に接続される第２導体板（第２ヒートシンク）が設けられている。そして、第一基板及び第二基板の各々は絶縁板を介して冷却器に当接している。
【発明の概要】
【発明が解決しようとする課題】
【０００３】
従来から用いられている態様では、電子部品の封止部内に含まれる半導体素子等の電子素子と導体板とが電気的に接続されていることから、ヒートシンクのような冷却体と電子部品との間に絶縁板、絶縁シート等の絶縁部を設ける必要があった。しかしながら、このように絶縁部を設けることは製造効率を下げることになってしまう。【０００４】
本発明は、このような点を鑑みてなされたものであり、放熱機能を果たす面であっても絶縁シート等の絶縁部をヒートシンク等の冷却体との間に設ける必要がない電子部品を提供する。
【課題を解決するための手段】
【０００５】
［概念１］
本発明の概念１による電子部品は、
ベースと、
前記ベースの一方側に設けられた電子素子と、
電子素子の一方側に設けられた接続体と、
前記接続体の一方側に設けられた放熱ブロックと、
前記接続体と前記放熱ブロックとの間に設けられた絶縁部と、
前記電子素子、前記接続体及び前記絶縁部を封止する封止部と、
を備え、
前記ベースの他方側の面の少なくとも一部が前記封止部から露出し、
前記放熱ブロックの一方側の面の少なくとも一部が前記封止部から露出してもよい。【０００６】
［概念２］
本発明の概念１による電子部品において、
前記接続体の先端部は屈曲部を介して他方側に曲げられ、
前記先端部の一方側に前記絶縁部が設けられてもよい。【０００７】
［概念３］
本発明の概念１又は２による電子部品において、
前記接続体の先端部は凹部を有し、
前記凹部内に前記絶縁部が設けられてもよい。【０００８】
［概念４］
本発明の概念１乃至３のいずれか１つによる電子部品において、
前記放熱ブロックは、放熱ブロック本体部と、前記放熱ブロック本体部から他方側に延びた延在部とを有し、
前記延在部は前記接続体の先端部の一方側に設けられ、
前記放熱ブロック本体部の一方側の面は前記封止部から露出してもよい。【０００９】
［概念５］
本発明の概念４による電子部品において、
前記接続体の先端部は凹部を有し、
前記凹部内に前記絶縁部及び前記延在部が設けられてもよい。【００１０】
［概念６］
本発明の概念１乃至５のいずれか１つによる電子部品において、
前記絶縁部は放熱絶縁シート又は放熱絶縁材料であってもよい。【００１１】
［概念７］
本発明の概念１乃至６のいずれか１つによる電子部品において、
前記絶縁部は放熱絶縁性を有する弾性部材であってもよい。【００１２】
［概念８］
本発明の概念７による電子部品において、
前記絶縁部は、前記接続体の先端部の厚みの１／５〜１／１の厚みを有してもよい。【００１３】
［概念９］
本発明の概念１乃至８のいずれか１つによる電子部品において、
前記接続体の基端部は、前記封止部から外方に露出する端子の一方側の面に導電性接着剤を介して当接してもよい。【００１４】
［概念１０］
本発明の概念１乃至９のいずれか１つによる電子部品において、
前記封止部の一方側から前記放熱ブロックだけが露出してもよい。【００１５】
［概念１１］
本発明の概念１乃至１０のいずれか１つによる電子部品において、
前記ベース、前記放熱ブロック及び前記接続体は同じ材料からなってもよい。【００１６】
［概念１２］
本発明の概念１乃至１１のいずれか１つによる電子部品において、
前記放熱ブロックの他方側の面は荒らし面を有してもよい。
【発明の効果】
【００１７】
本発明によれば、電子素子の一方側に設けられた接続体と放熱ブロックとの間に絶縁部が設けられており、放熱ブロックと電子素子とは絶縁されている。このため、放熱機能を果たす放熱ブロック側の面をヒートシンクのような冷却体に直接載置することができる。
【図面の簡単な説明】
【００１８】
【図１】図１は、本発明の第１の実施の形態で用いられうる電子部品の側方断面図である。
【図２】図２は、本発明の第１の実施の形態の変形例１で用いられうる電子部品の側方断面図である。
【図３】図３は、本発明の第１の実施の形態の変形例２で用いられうる電子部品の側方断面図である。
【図４】図４は、本発明の第１の実施の形態の変形例３で用いられうる電子部品の側方断面図である。
【図５】図５は、本発明の第１の実施の形態で用いられうる電子部品及び冷却体を示した側方断面図である。
【図６】図６は、本発明の第１の実施の形態の変形例４で用いられうる電子部品の側方断面図である。
【図７】図７は、本発明の第１の実施の形態で用いられうる電子部品において厚みの厚い絶縁部を採用した際の側方断面図である。
【図８】図８は、本発明の第１の実施の形態で用いられうる電子部品を図１の右側方向から見た前方断面図である。
【図９】図９は、本発明の第２の実施の形態で用いられうる電子部品の側方断面図である。
【図１０】図１０は、本発明の第２の実施の形態で用いられうる電子部品を図９の右側方向から見た前方断面図である。
【図１１】図１１は、本発明の第３の実施の形態で用いられうる電子部品の斜視図である。
【図１２】図１２は、本発明の第３の実施の形態の変形例で用いられうる電子部品の斜視図である。
【図１３】図１３は、本発明の第３の実施の形態で用いられうる電子部品の一例を示した前方断面図である。
【図１４】図１４は、本発明の第３の実施の形態で用いられうる電子部品の別の例を示した前方断面図である。
【図１５】図１５は、本発明の第４の実施の形態で用いられうる電子部品の前方断面図である。
【図１６】図１６は、本発明の第４の実施の形態の変形例で用いられうる電子部品の前方断面図である。
【発明を実施するための形態】
【００１９】
第１の実施の形態
《構成》
以下、本実施の形態の電子部品について説明する。本実施の形態の電子部品は、例えば電子装置又は電子モジュールである。電子装置としては例えば半導体装置を挙げることができ、電子モジュールとしては半導体モジュールを挙げることができる。また、本実施の形態の電子素子は典型的には半導体素子であり、例えばＭＯＳＦＥＴやＩＧＢＴ等の半導体からなるスイッチング素子であってもよいし、コンデンサ等であってもよい。本実施の形態の一方側とは図１の上方側を意味し、他方型とは図１の下方側を意味する。図１の上下方向（すなわち一方側の方向及び他方側の方向を含む方向）を法線方向とする面を、本実施の形態では「面方向」という。
【００２０】
図１に示すように、電子部品は、ベース１０と、ベース１０の一方側に設けられた電子素子２０と、電子素子２０の一方側に設けられた接続体３０と、接続体３０の一方側に設けられた放熱ブロック４０と、接続体３０と放熱ブロック４０との間に設けられた絶縁部５０と、電子素子２０、接続体３０及び絶縁部５０を封止する封止部９０と、を有してもよい。ベース１０の他方側の面の少なくとも一部は封止部９０から露出してもよい。放熱ブロック４０の一方側の面の少なくとも一部が封止部９０から露出してもよい。
【００２１】
ベース１０の一方側の面と電子素子２０の他方側の面との間には、はんだ等の導電性接着剤８０が設けられてもよい。電子素子２０の一方側の面と接続体３０の先端部３２の他方側の面との間にも、はんだ等の導電性接着剤８０が設けられてもよい。
【００２２】
ベース１０の他方側の面の少なくとも一部は封止部９０から露出してもよいと述べたが、ベース１０の他方側の面の一部だけではなく全部が封止部９０から露出してもよい。放熱ブロック４０の一方側の面の少なくとも一部は封止部９０から露出してもよいと述べたが放熱ブロック４０の一方側の面の一部だけではなく全部が封止部９０から露出してもよい。
【００２３】
ベース１０の他方側の面の一部だけが露出する場合には、例えば図２に示すように、ベース１０は、ベース本体部１２と、ベース本体部１２から他方側に突出したベース突出部１１とを有し、当該ベース突出部１１の他方側の面が封止部９０から露出されるようにしてもよい。
【００２４】
放熱ブロック４０の一方側の面の一部だけが露出する場合には、例えば図３に示すように、放熱ブロック４０は、放熱ブロック本体部４２と、放熱ブロック本体部４２から一方側に突出した放熱ブロック突出部４１を有し、当該放熱ブロック突出部４１の一方側の面が封止部９０から露出されるようにしてもよい。
【００２５】
接続体３０の先端部３２は屈曲部３１を介して他方側に曲げられてもよい。先端部３２には、絶縁部５０及び放熱ブロック４０が設けられてもよい。
【００２６】
放熱ブロック４０は円柱形状又は略直方体から構成されてもよい。本実施の形態において、略直方体とは、六面体から構成され、対向する２面が平行に配置されている態様を意味し、例えば角部が丸みを帯びているような態様も含まれている。略立方体とは、六面体から構成され、対向する２面が平行に配置されている態様であって、各面の大きさが同じ大きさからなっている態様を意味し、略直方体と同様に、例えば角部が丸みを帯びているような態様も含まれている。
【００２７】
絶縁部５０は、放熱絶縁シート又は放熱絶縁材料であってもよい。放熱絶縁シートとしては、一例として、アルミナ、窒化アルミニウム、窒化ホウ素等のフィラーをシリコンに充填した高熱伝導性シートを挙げることができる。放熱絶縁材料としては、一例として、アルミナ、窒化アルミニウム、窒化ホウ素等のフィラーを含有するエポキシ樹脂、シリコン樹脂、ウレタン樹脂等を挙げることができる。
【００２８】
絶縁部５０は放熱絶縁性を有する弾性部材であってもよい。一例としては、アルミナ、窒化アルミニウム、窒化ホウ素等のフィラーを含有するシリコンゴム等を挙げることができる。
【００２９】
絶縁部５０は、接続体３０の先端部３２の厚みの１／５〜１／１の厚みとしてもよく、より限定するならば１／３〜１／２の厚みを有してもよい。絶縁部５０の厚みを厚くすることで絶縁耐量を上げることができる。
【００３０】
図１乃至図３に示すように、接続体３０の基端部３３は封止部９０から外方に露出する一つ又は複数の端子３５に接続されてもよい。また、接続体３０の基端部３３は、封止部９０から外方に露出する端子３５の基端部３６の一方側の面にはんだ等の導電性接着剤８０を介して当接されてもよい。但し、このように接続体３０と端子３５とが別体になっておらず、図４に示すように、接続体３０の基端部３３が端子３５と一体に構成されてもよい。また、接続体３０の基端部３３が面方向で延在して、封止部９０の側面から突出するように構成されてもよい。
【００３１】
接続体３０の基端部３３と複数の端子３５とが接続される場合には、複数の端子３５が面方向の図１の紙面表裏方向に並んで配置され、これら複数の端子３５の一方側の面と接続体３０の基端部３３とがはんだ等の導電性接着剤８０を介して当接されてもよい（図１１及び図１２参照）。また、接続体３０の基端部３３と複数の端子３５とが一体に構成されてもよく、この場合にも、複数の端子３５が面方向の図１の紙面表裏方向に並んで配置されるようになってもよい。
【００３２】
本実施の形態の電子部品において、放熱ブロック４０だけが封止部９０の一方側から露出するようにしてもよい。
【００３３】
ベース１０、放熱ブロック４０及び接続体３０は同じ材料から構成されてもよい。一例としては、ベース１０、放熱ブロック４０及び接続体３０の各々が銅又は銅を含有する金属から構成されてもよい。
【００３４】
《作用・効果》
次に、上述した構成からなる本実施の形態による作用・効果の一例について説明する。なお、「作用・効果」で説明するあらゆる態様を、上記構成で採用することができる。
【００３５】
本発明において、電子素子２０の一方側に設けられた接続体３０と放熱ブロック４０との間に絶縁部５０が設けられ、放熱ブロック４０と電子素子２０とが絶縁されている態様を採用した場合には、図５に示すように、放熱機能を果たす放熱ブロック４０側の面をヒートシンクのような冷却体１１０に直接載置することができる。このため、電子部品と冷却体１１０との間に、別途、放熱絶縁シートや放熱絶縁材料等をヒートシンクのような冷却体との間に設ける必要がなくなり、設計自由度を高めることができる点で有益である。なお、本実施の形態のような電子部品を用いる場合であっても、放熱絶縁シートや放熱絶縁材料等をヒートシンクのような冷却体との間に設けてもよい。
【００３６】
図１等に示すように、接続体３０の先端部３２が屈曲部３１を介して他方側に曲げられ、先端部３２に絶縁部５０及び放熱ブロック４０が設けられる態様を採用した場合には、屈曲部３１を利用して、絶縁部５０を面方向で位置決めすることができる点で有益である。この観点から言うと、図３に示すように、絶縁部５０の屈曲部３１側の側面（図３の左側面）が屈曲部３１に当接し、このことによって、絶縁部５０の面方向の位置決めが行われることが有益である。
【００３７】
放熱ブロック４０が略直方体又は略立方体から構成されている態様を採用した場合には、製造工程において放熱ブロック４０を容易に他方側に曲げられた先端部３２に載置することができる点で有益である。
【００３８】
図８に示すように、放熱ブロック４０の面方向の大きさが、接続体３０の先端部３２の面方向の大きさよりも大きくなっており、放熱ブロック４０が接続体３０の先端部３２から面方向ではみ出る大きさとなってもよい。
【００３９】
絶縁部５０が放熱絶縁シートから構成される場合には、絶縁性を維持しつつ、高い放熱性を実現できる点で有益である。また、絶縁部５０が放熱絶縁材料から構成される場合にも、絶縁性を維持しつつ、高い放熱性を実現できる点で有益である。
【００４０】
絶縁部５０が放熱絶縁性を有する弾性部材から構成される場合にも、絶縁性を維持しつつ、高い放熱性を実現できる点で有益である。この効果に加え、本態様を採用した場合には、製造工程において、放熱ブロック４０によって絶縁部５０を押し付けつつ、接続体３０の先端部３２に絶縁部５０及び放熱ブロック４０を載置できる点で有益である。つまり、絶縁部５０が弾性部材から構成される場合には、放熱ブロック４０が封止部９０を構成する封止樹脂を流し込むための金型よりも一方側に多少はみ出すことになったとしても、金型によって放熱ブロック４０を押し込みつつ、封止樹脂を金型内に流し込むことができる。このため、個体差等の製造誤差によって、放熱ブロック４０が金型の厚み方向から多少はみ出すことがあったとしても、特に支障なく電子部品を製造できる点で有益である。また、このように絶縁部５０を押し込むことで絶縁部５０内に含まれるフィラー同士を近接させることができ、熱伝導性をより高めることもできる。
【００４１】
絶縁部５０として放熱絶縁性を有する弾性部材を用いる場合には、図６に示すように、封止樹脂を流し込む金型（封止部９０）から厚み方向で放熱ブロック４０が多少はみ出すように設計してもよい。このように放熱ブロック４０が多少はみ出させることで、絶縁部５０を押し込むことができ、絶縁部５０内に含まれるフィラー同士を近接させることができ、熱伝導性をより高めることもできるようになる。なお、多少はみ出すとは、例えば、絶縁部５０の厚みの１／１０以下の高さではみ出すことを意味している。
【００４２】
特に絶縁部５０が放熱絶縁性を有する弾性部材から構成される場合には、図７に示すように、絶縁部５０の厚みを厚くすることで、その弾性力を前述したように利用することもできる。このため、このような態様では絶縁部５０が、接続体３０の先端部３２の厚みの１／３〜１／２の厚みを有していることは有益である。
【００４３】
接続体３０の基端部３３が、封止部９０から外方に露出する端子３５の一方側の面にはんだ等の導電性接着剤８０を介して当接される態様を採用した場合には、封止樹脂で封止する際に用いられる金型で接続体３０の先端部３２側が押されることで基端部３３側が仮に浮き上がったとしても、端子３５自体が浮き上がることがない点で有益である。
【００４４】
電子部品において、封止部９０の一方側から放熱ブロック４０だけが露出する態様を採用する場合には、電子素子２０からの発熱を、絶縁部５０及び放熱ブロック４０を介した熱経路だけを介して放熱させることができる。特に絶縁部５０として放熱絶縁性のもの、例えば放熱絶縁シート、放熱絶縁材料又は放熱絶縁性を有する弾性部材等を採用した場合には、電子素子２０からの発熱をより効率よく行える点で有益である。
【００４５】
ベース１０、放熱ブロック４０及び接続体３０が同じ材料から構成される場合には、製造工程において加わる熱による熱膨張や熱収縮の割合を、これらベース１０、放熱ブロック４０及び接続体３０で合わせることができる。このため、例えば、ベース１０と接続体３０との間の熱膨張や熱収縮の割合を合わせることで、ベース１０と接続体３０との間の導電性接着剤８０にクラックが入ることを防止できる点で有益である。また、接続体３０と放熱ブロック４０との間の熱膨張や熱収縮の割合を合わせることで、接続体３０と放熱ブロック４０との間でずれが発生することを防止できる点で有益である。
【００４６】
第２の実施の形態
次に、本発明の第２の実施の形態について説明する。
【００４７】
本実施の形態では、図９に示すように、放熱ブロック４０が、放熱ブロック本体部４２と、放熱ブロック本体部４２から他方側に延びた延在部４３とを有している。延在部４３は接続体３０の先端部３２に設けられている。放熱ブロック本体部４２の一方側の面は封止部９０から露出する態様となっている。その他については、第１の実施の形態と同様であり、第１の実施の形態で採用したあらゆる構成を第２の実施の形態でも採用することができる。第１の実施の形態で説明した部材に対しては同じ符号を付して説明する。
【００４８】
本実施の形態のような延在部４３を設けることで、延在部４３を接続体３０の先端部３２に載置しつつ、放熱ブロック本体部４２における封止部９０からの露出面を大きくすることができる。このため、高い放熱性を実現できる点で有益である。
【００４９】
また、延在部４３を接続体３０の先端部３２に載置するという観点から言うと、図９及び図１０に示すように、延在部４３の面方向の面積は接続体３０の先端部３２よりも小さくなってもよい。このように延在部４３の面方向の面積を接続体３０の先端部３２よりも小さくすることで、延在部４３と接続体３０とが接触してしまうことを防止できる点で有益である。なお、このような態様に限られることはなく、延在部４３の面方向の面積は接続体３０の先端部３２よりも大きくなってもよいが、この場合には、延在部４３の一部は屈曲部３１と反対側（図９の右側）で先端部３２から面方向ではみ出ることになる（図９の点線で示した符号４３参照）。
【００５０】
第３の実施の形態
次に、本発明の第３の実施の形態について説明する。
【００５１】
本実施の形態では、図１１及び図１２に示すように、接続体３０の先端部３２が凹部１３０を有している。図１３に示すように凹部１３０内に絶縁部５０が設けられる構成となってもよい。また、図１４に示すように、凹部１３０内に絶縁部５０だけではなく、放熱ブロック４０の延在部４３が設けられてもよい。なお、図１４に示す態様では、延在部４３と接続体３０の先端部３２との間に間隙が設けられており、これらが互いに接触しないようになっている。上記各実施の形態で採用したあらゆる構成を第３の実施の形態でも採用することができる。上記各実施の形態で説明した部材に対しては同じ符号を付して説明する。
【００５２】
本実施の形態のように凹部１３０を設けることで、絶縁部５０を接続体３０の先端部３２に対して確実に位置決めすることができる。このため、電子部品の製造工程を容易なものにすることができる。
【００５３】
凹部１３０は先端部３２を叩くことで形成されてもよい。このような製造工程を採用する場合には、凹部１３０を形成することで、先端部３２の他方側の面には図１１に示すような凸部１３１を形成することができる。また、図１２に示すように、凹部１３０は設けられているものの、凸部１３１が設けられていない態様を採用することもできる。
【００５４】
第４の実施の形態
次に、本発明の第４の実施の形態について説明する。
【００５５】
本実施の形態では、図１５に示すように放熱ブロック４０の他方側の面は荒らし面を有している。上記各実施の形態で採用したあらゆる構成を第４の実施の形態でも採用することができる。上記各実施の形態で説明した部材に対しては同じ符号を付して説明する。
【００５６】
放熱ブロック４０の他方側の面に設けられる荒らし面は、細かな凹凸形状１４０を有する態様でも良い。このような細かな凹凸形状１４０は、サンドブラストを行うことで形成されてもよい。本実施の形態のように放熱ブロック４０の他方側の面が荒らし面となっている場合には、放熱ブロック４０によって、放熱絶縁シートや放熱絶縁性の弾性材料等からなる絶縁部５０が面方向ずれてしまうことを防止できる点で有益である。
【００５７】
なお、放熱ブロック４０が延在部４３を有する態様では、図１６に示すように、放熱ブロック４０の延在部４３の他方側の面が細かな凹凸形状１４０を有し、放熱ブロック本体部４２の他方側の面は凹凸形状を有していなくてもよい。また、このような態様に限られることはなく、放熱ブロック本体部４２の他方側の面は凹凸形状を有してもよい。
【００５８】
上述した各実施の形態の記載及び図面の開示は、請求の範囲に記載された発明を説明するための一例に過ぎず、上述した実施の形態の記載又は図面の開示によって請求の範囲に記載された発明が限定されることはない。また、出願当初の請求項の記載はあくまでも一例であり、明細書、図面等の記載に基づき、請求項の記載を適宜変更することもできる。
【符号の説明】
【００５９】
１０        ベース
２０        電子素子
３０        接続体
３１        屈曲部
３２        先端部
３５        端子
４０        放熱ブロック
４２        放熱ブロック本体部
４３        延在部
５０        絶縁部
８０        導電性接着剤
９０        封止部
１３０      凹部
【図１】
2019082333.tif 000003
【図２】
2019082333.tif 000004
【図３】
2019082333.tif 000005
【図４】
2019082333.tif 000006
【図５】
2019082333.tif 000007
【図６】
2019082333.tif 000008
【図７】
2019082333.tif 000009
【図８】
2019082333.tif 000010
【図９】
2019082333.tif 000011
【図１０】
2019082333.tif 000012
【図１１】
2019082333.tif 000013
【図１２】
2019082333.tif 000014
【図１３】
2019082333.tif 000015
【図１４】
2019082333.tif 000016
【図１５】
2019082333.tif 000017
【図１６】
2019082333.tif 000018
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ベースと、
前記ベースの一方側に設けられた電子素子と、
電子素子の一方側に設けられた接続体と、
前記接続体の一方側に設けられた放熱ブロックと、
前記接続体と前記放熱ブロックとの間に設けられた絶縁部と、
前記電子素子、前記接続体及び前記絶縁部を封止する封止部と、
を備え、
前記ベースの他方側の面の少なくとも一部は前記封止部から露出し、
前記放熱ブロックの一方側の面の少なくとも一部は前記封止部から露出し、
前記接続体の先端部は屈曲部を介して他方側に曲げられ、
前記先端部の一方側に前記絶縁部が設けられ、
前記絶縁部は放熱絶縁性を有する弾性部材であることを特徴とする電子部品。
【請求項２】
前記接続体の先端部の一方側には一つの電子素子だけが設けられることを特徴とする請求項１に記載の電子部品。
【請求項３】
ベースと、
前記ベースの一方側に設けられた電子素子と、
電子素子の一方側に設けられた接続体と、
前記接続体の一方側に設けられた放熱ブロックと、
前記接続体と前記放熱ブロックとの間に設けられた絶縁部と、
前記電子素子、前記接続体及び前記絶縁部を封止する封止部と、
を備え、
前記ベースの他方側の面の少なくとも一部は前記封止部から露出し、
前記放熱ブロックの一方側の面の少なくとも一部は前記封止部から露出し、
前記接続体の先端部は凹部を有し、
前記凹部内に前記絶縁部が設けられることを特徴とする電子部品。
【請求項４】
前記放熱ブロックは、放熱ブロック本体部と、前記放熱ブロック本体部から他方側に延びた延在部とを有し、
前記延在部は前記接続体の先端部の一方側に設けられ、
前記放熱ブロック本体部の一方側の面は前記封止部から露出することを特徴とする請求項１に記載の電子部品。
【請求項５】
ベースと、
前記ベースの一方側に設けられた電子素子と、
電子素子の一方側に設けられた接続体と、
前記接続体の一方側に設けられた放熱ブロックと、
前記接続体と前記放熱ブロックとの間に設けられた絶縁部と、
前記電子素子、前記接続体及び前記絶縁部を封止する封止部と、
を備え、
前記ベースの他方側の面の少なくとも一部は前記封止部から露出し、
前記放熱ブロックの一方側の面の少なくとも一部は前記封止部から露出し、
前記放熱ブロックは、放熱ブロック本体部と、前記放熱ブロック本体部から他方側に延びた延在部とを有し、
前記延在部は前記接続体の先端部の一方側に設けられ、
前記放熱ブロック本体部の一方側の面は前記封止部から露出し、
前記接続体の先端部は凹部を有し、
前記凹部内に前記絶縁部及び前記延在部が設けられることを特徴とする電子部品。
【請求項６】
前記絶縁部は放熱絶縁シート又は放熱絶縁材料であることを特徴とする請求項１に記載の電子部品。
【請求項７】
（削除）
【請求項８】
前記絶縁部は、前記接続体の先端部の厚みの１／５〜１／１の厚みを有することを特徴とする請求項１に記載の電子部品。
【請求項９】
前記接続体の基端部は、前記封止部から外方に露出する端子の一方側の面に導電性接着剤を介して当接することを特徴とする請求項１に記載の電子部品。
【請求項１０】
前記封止部の一方側から前記放熱ブロックだけが露出していることを特徴とする請求項１に記載の電子部品。
【請求項１１】
前記ベース、前記放熱ブロック及び前記接続体は同じ材料からなることを特徴とする請求項１に記載の電子部品。
【請求項１２】
前記放熱ブロックの他方側の面は荒らし面を有することを特徴とする請求項１に記載の電子部品。
【手続補正書】
【提出日】令和2年1月31日(2020.1.31)
【手続補正１】
【補正対象書類名】特許請求の範囲
【補正対象項目名】請求項２
【補正方法】変更
【補正の内容】
【請求項２】
前記接続体の先端部は一つの電子素子の一方側だけで設けられることを特徴とする請求項１に記載の電子部品。
【国際調査報告】
2019082333.tif 000019
2019082333.tif 000020
2019082333.tif 000021
2019082333.tif 000022